(57)【要約】【課題】車載ユニバーサルマルチメディアブルートゥースハンズフリー装置の提供。【解決手段】各式マルチメディア保存装置の信号を自動車オーディオに伝送可能な車載ユニバーサルマルチメディアブルートゥースハンズフリー装置はブルートゥース無線伝送ユニット、有線信号インプットユニット、立体音源切り替えユニット、ハンズフリー受話器ユニット、制御ユニット、立体音声アウトプットユニットを含み、自動車オーディオに接続する。これにより伝統的な自動車オーディオはブルートゥース無線ハンズフリー受話器の機能を備える他、有線或いは無線の方式により、各種ハンドヘルド式マルチメディア保存装置と接続し、音楽再生の機能を達成することができる。【選択図】図１
2009017119.tif 000002
【特許請求の範囲】
【請求項１】
車載ユニバーサルマルチメディアブルートゥースハンズフリー装置は自動車オーディオに接続し、ブルートゥース無線伝送ユニット、有線信号インプットユニット、立体音源切り替えユニット、ハンズフリー受話器ユニット、制御ユニット、立体音声アウトプットユニットを含み、
該ブルートゥース無線伝送ユニットの一端は無線の方式によりブルートゥース携帯電話端末と双方向接続し、その音声出力は直接或いは間接的にそれぞれ該ハンズフリー受話器ユニットに接続し、該立体音源切り替えユニットの入力により、該ブルートゥース携帯電話端末にハンズフリー通話或いは音楽再生時の無線伝送を提供し、
該有線信号インプットユニットは少なくとも１個以上のマルチメディア保存装置に少なくとも１個のマルチメディア信号線の接続によりインプットし、該有線信号インプットユニットの出力を経て、該立体音源切り替えユニットのインプットに接続し、
該立体音源切り替えユニットの入力は該ブルートゥース無線伝送ユニット及び該有線信号インプットユニットよりそれぞれ受け取り、その出力は該立体音源切り替えユニットの入力に接続し、音声出力時の音源選択制御とし、
該ハンズフリー受話器ユニットは該ブルートゥース携帯電話端末からの電話を執行し、マイクを通して少なくとも１個のスピーカーと拡大音声通話を行い、
該制御ユニットは少なくとも該立体音源切り替えユニットの音源入力選択を制御し、
該立体音声アウトプットユニットは直接或いは間接的に自動車オーディオ中の入力ポートに接続することを特徴とする車載ユニバーサルマルチメディアブルートゥースハンズフリー装置。
【請求項２】
請求項１記載の車載ユニバーサルマルチメディアブルートゥースハンズフリー装置において、前記車載ユニバーサルマルチメディアブルートゥースハンズフリー装置はさらにマルチメディア通信回路を含み、マルチメディア装置の再生作動を操作することを特徴とする車載ユニバーサルマルチメディアブルートゥースハンズフリー装置。
【請求項３】
請求項２記載の車載ユニバーサルマルチメディアブルートゥースハンズフリー装置において、前記マルチメディア通信回路は該有線信号インプットユニットに設置することを特徴とする車載ユニバーサルマルチメディアブルートゥースハンズフリー装置。
【請求項４】
請求項２記載の車載ユニバーサルマルチメディアブルートゥースハンズフリー装置において、前記マルチメディア通信回路は該マルチメディア信号線に設置することを特徴とする車載ユニバーサルマルチメディアブルートゥースハンズフリー装置。
【請求項５】
請求項２記載の車載ユニバーサルマルチメディアブルートゥースハンズフリー装置において、前記マルチメディア通信回路は少なくとも１種以上のマルチメディア装置のプロトコルに対応することを特徴とする車載ユニバーサルマルチメディアブルートゥースハンズフリー装置。
【請求項６】
請求項１記載の車載ユニバーサルマルチメディアブルートゥースハンズフリー装置において、前記車載ユニバーサルマルチメディアブルートゥースハンズフリー装置はさらに自動車オーディオ通信回路を含み、該自動車オーディオに連結し、該マルチメディア保存装置の音楽の再生を間接的に操作することを特徴とする車載ユニバーサルマルチメディアブルートゥースハンズフリー装置。
【請求項７】
請求項１記載の車載ユニバーサルマルチメディアブルートゥースハンズフリー装置において、前記車載ユニバーサルマルチメディアブルートゥースハンズフリー装置はさらに自動車オーディオ通信回路を含み、該自動車オーディオに連結し、該ブルートゥース携帯電話端末の音楽の再生を間接的に操作することを特徴とする車載ユニバーサルマルチメディアブルートゥースハンズフリー装置。
【請求項８】
請求項１記載の車載ユニバーサルマルチメディアブルートゥースハンズフリー装置において、前記車載ユニバーサルマルチメディアブルートゥースハンズフリー装置はさらにCD交換機模擬回路を含み、該マルチメディア保存装置或いは該ブルートゥース携帯電話端末の音楽の再生を制御することを特徴とする車載ユニバーサルマルチメディアブルートゥースハンズフリー装置。
【請求項９】
請求項１記載の車載ユニバーサルマルチメディアブルートゥースハンズフリー装置において、前記車載ユニバーサルマルチメディアブルートゥースハンズフリー装置は電源供給回路を含み、該マルチメディア保存装置の電力を提供することを特徴とする車載ユニバーサルマルチメディアブルートゥースハンズフリー装置。
【請求項１０】
請求項１記載の車載ユニバーサルマルチメディアブルートゥースハンズフリー装置において、前記マルチメディア保存装置はフラッシュメモリの保存装置であることを特徴とする車載ユニバーサルマルチメディアブルートゥースハンズフリー装置。
【請求項１１】
請求項１記載の車載ユニバーサルマルチメディアブルートゥースハンズフリー装置において、前記マルチメディア保存装置はメモリを備えるマルチメディアプレーヤーであることを特徴とする車載ユニバーサルマルチメディアブルートゥースハンズフリー装置。
【発明の詳細な説明】
【技術分野】
【０００１】
本発明は一種の車載ユニバーサルマルチメディアブルートゥースハンズフリー装置に関する。特に一種の各式マルチメディア保存装置の信号を自動車オーディオに伝送可能な車載ユニバーサルマルチメディアブルートゥースハンズフリー装置に係る。
【背景技術】
【０００２】
ブルートゥース技術の普及により、各式携帯電話端末はブルートゥースプロトコルの無線通信をサポート可能となっており、使用者はいつでもどこでもハンズフリーで通話を行うことができる。特許文献１は、着信時に、着信の通話音声を自動的に自動車オーディオに転送し発し、運転者はハンズフリー受話器を利用し通話を行うことができるものである。
さらに、インターネットと音楽圧縮の技術の進歩に従い、音楽の出所と保存の形式は伝統的なテープ、光ディスク、AM/FM放送などの他に、インターネットを通して取得する圧縮音楽を各種フラッシュメモリカード、USB保存装置、及び各式MP3プレーヤーに保存したものへと広がっている。
しかし既存の自動車オーディオはブルートゥース通信により上記各式マルチメディア保存装置に連接することができず、使用において非常に不便である。
【０００３】
【特許文献１】台湾特許第92200595号明細書
【発明の開示】
【発明が解決しようとする課題】
【０００４】
本発明は主に各式マルチメディア保存装置の信号を自動車オーディオに伝送可能な車載ユニバーサルマルチメディアブルートゥースハンズフリー装置を提供し、それはブルートゥース無線伝送ユニット、有線信号インプットユニット、立体音源切り替えユニット、ハンズフリー受話器ユニット、制御ユニット、立体音声アウトプットユニットを含み、自動車オーディオに接続し、これにより一般の自動車オーディオはブルートゥース無線ハンズフリー受話器の機能を備える他、各種マルチメディア保存装置の音楽を再生することができる。
【０００５】
本発明の車載ユニバーサルマルチメディアブルートゥースハンズフリー装置はブルートゥース機能を備える携帯電話端末に着信があった時には、該ブルートゥース無線伝送ユニットを通して無線単音双方向のモードによりこれと相互に連接し、該ハンズフリー受話器ユニットはそれが連結するマイクを通して、使用者の音声を受け取り、通話の相手に伝送し、通話相手の音声は該ブルートゥース無線伝送ユニット、該立体音源切り替えユニット、該ハンズフリー受話器ユニットを経由し、自動車オーディオのスピーカーを通して発声され、携帯電話端末を手に持つ必要なく通話を行う機能を達成する。
該ブルートゥース携帯電話端末が音楽を再生する時には、該ブルートゥース無線伝送ユニットを通して、単方向立体音声のモードによりこれと相互に連接し、該制御ユニットは該立体音源切り替えユニットのインプットルートを該ブルートゥース無線ユニットへと切り替え、該携帯電話端末の音楽は該ブルートゥース無線ユニット、該立体音源切り替えユニット、該立体音声アウトプットユニットを通して自動車オーディオに至り、その内のインプットポートにより該自動車オーディオ音源切り替えユニットに接続し、使用者は該自動車オーディオの音源切り替えユニットをこのインプットポートのルートに切り替えるだけで、自動車オーディオにより携帯電話端末が再生する音楽を楽しむことができる。
【０００６】
本発明の車載ユニバーサルマルチメディアブルートゥースハンズフリー装置はさらに自動車オーディオ通信回路を含み、これにより使用者は反対に自動車オーディオパネルを通して操作することができ、自動車オーディオは該自動車オーディオ通信回路、該ブルートゥース無線伝送ユニットを経て、無線の方式で操作信号をブルートゥース機能を備える携帯電話端末上に伝送することができ、こうして選択、再生、一時停止などの携帯電話端末音楽の再生作動を間接的に操作する。
使用者が携帯電話端末を使用し音楽を再生しない時には、該マルチメディア保存装置を信号線を通して該有線信号インプットユニットに接続し、音楽を再生する時には、音楽信号は該信号線を通して該有線信号インプットユニットに接続し、該制御ユニットは該立体音源切り替えユニットを制御し、インプットルートを該有線信号インプットユニットに切り替え、こうして音声信号は該立体音声アウトプットユニットを経由し自動車オーディオのインプットポートに出力され、自動車オーディオの音源の一つとし、使用者は自動車オーディオ音源切り替えユニットを該インプットポートのルートに切り替えるだけで、マルチメディア保存装置の音楽を楽しむことができる。
【０００７】
本発明の車載ユニバーサルマルチメディアブルートゥースハンズフリー装置はさらにマルチメディア通信回路を含み、これにより使用者は反対に自動車オーディオパネルを通して操作が可能で、その制御信号は自動車オーディオ通信回路を経由し該マルチメディア通信回路に至り、該マルチメディア信号線を通して、さらにマルチメディア保存装置に至り、マルチメディア保存装置の選択、再生、一時停止などの音楽再生の作動を間接的に操作可能で、該マルチメディア通信回路はプロトコル模擬回路を含み、該プロトコル模擬回路は多種のマルチメディア保存装置のプロトコルを備え、該有線信号インプットユニットと該各式マルチメディア保存装置を便利に接続する。
大部分の自動車オーディオパネル上にはマルチメディアプレーヤーを操作可能なインターフェースを設置し、大部分の自動車オーディオはCD交換機を接続可能な機能を備え、このような操作インターフェースを予め保留しているため、マルチメディア保存装置の音楽と制御順序模擬をCD交換機とするだけで、使用者はCD交換機を操作する方式により、マルチメディア保存装置、或いはブルートゥース機能を備える携帯電話端末の音楽の再生を操作することができ、このため本発明はさらにCD交換機模擬回路を含み、こうして自動車オーディオに連接するCD交換機信号ポートにより、携帯電話端末或いはマルチメディア保存装置の音楽は、該CD交換機信号ポートにより自動車オーディオに入力され、再生の操作を達成する車載ユニバーサルマルチメディアブルートゥースハンズフリー装置を提供する。
【課題を解決するための手段】
【０００８】
請求項１の発明は、車載ユニバーサルマルチメディアブルートゥースハンズフリー装置は自動車オーディオに接続し、ブルートゥース無線伝送ユニット、有線信号インプットユニット、立体音源切り替えユニット、ハンズフリー受話器ユニット、制御ユニット、立体音声アウトプットユニットを含み、
該ブルートゥース無線伝送ユニットの一端は無線の方式によりブルートゥース携帯電話端末と双方向接続し、その音声出力は直接或いは間接的にそれぞれ該ハンズフリー受話器ユニットに接続し、該立体音源切り替えユニットの入力により、該ブルートゥース携帯電話端末にハンズフリー通話或いは音楽再生時の無線伝送を提供し、
該有線信号インプットユニットは少なくとも１個以上のマルチメディア保存装置に少なくとも１個のマルチメディア信号線の接続によりインプットし、該有線信号インプットユニットの出力を経て、該立体音源切り替えユニットのインプットに接続し、
該立体音源切り替えユニットの入力は該ブルートゥース無線伝送ユニット及び該有線信号インプットユニットよりそれぞれ受け取り、その出力は該立体音源切り替えユニットの入力に接続し、音声出力時の音源選択制御とし、
該ハンズフリー受話器ユニットは該ブルートゥース携帯電話端末からの電話を執行し、マイクを通して少なくとも１個のスピーカーと拡大音声通話を行い、
該制御ユニットは少なくとも該立体音源切り替えユニットの音源入力選択を制御し、
該立体音声アウトプットユニットは直接或いは間接的に自動車オーディオ中の入力ポートに接続することを特徴とする車載ユニバーサルマルチメディアブルートゥースハンズフリー装置としている。
請求項２の発明は、請求項１記載の車載ユニバーサルマルチメディアブルートゥースハンズフリー装置において、前記車載ユニバーサルマルチメディアブルートゥースハンズフリー装置はさらにマルチメディア通信回路を含み、マルチメディア装置の再生作動を操作することを特徴とする車載ユニバーサルマルチメディアブルートゥースハンズフリー装置としている。
請求項３の発明は、請求項２記載の車載ユニバーサルマルチメディアブルートゥースハンズフリー装置において、前記マルチメディア通信回路は該有線信号インプットユニットに設置することを特徴とする車載ユニバーサルマルチメディアブルートゥースハンズフリー装置としている。
請求項４の発明は、請求項２記載の車載ユニバーサルマルチメディアブルートゥースハンズフリー装置において、前記マルチメディア通信回路は該マルチメディア信号線に設置することを特徴とする車載ユニバーサルマルチメディアブルートゥースハンズフリー装置としている。
請求項５の発明は、請求項２記載の車載ユニバーサルマルチメディアブルートゥースハンズフリー装置において、前記マルチメディア通信回路は少なくとも１種以上のマルチメディア装置のプロトコルに対応することを特徴とする車載ユニバーサルマルチメディアブルートゥースハンズフリー装置としている。
請求項６の発明は、請求項１記載の車載ユニバーサルマルチメディアブルートゥースハンズフリー装置において、前記車載ユニバーサルマルチメディアブルートゥースハンズフリー装置はさらに自動車オーディオ通信回路を含み、該自動車オーディオに連結し、該マルチメディア保存装置の音楽の再生を間接的に操作することを特徴とする車載ユニバーサルマルチメディアブルートゥースハンズフリー装置としている。
請求項７の発明は、請求項１記載の車載ユニバーサルマルチメディアブルートゥースハンズフリー装置において、前記車載ユニバーサルマルチメディアブルートゥースハンズフリー装置はさらに自動車オーディオ通信回路を含み、該自動車オーディオに連結し、該ブルートゥース携帯電話端末の音楽の再生を間接的に操作することを特徴とする車載ユニバーサルマルチメディアブルートゥースハンズフリー装置としている。
請求項８の発明は、請求項１記載の車載ユニバーサルマルチメディアブルートゥースハンズフリー装置において、前記車載ユニバーサルマルチメディアブルートゥースハンズフリー装置はさらにCD交換機模擬回路を含み、該マルチメディア保存装置或いは該ブルートゥース携帯電話端末の音楽の再生を制御することを特徴とする車載ユニバーサルマルチメディアブルートゥースハンズフリー装置としている。
請求項９の発明は、請求項１記載の車載ユニバーサルマルチメディアブルートゥースハンズフリー装置において、前記車載ユニバーサルマルチメディアブルートゥースハンズフリー装置は電源供給回路を含み、該マルチメディア保存装置の電力を提供することを特徴とする車載ユニバーサルマルチメディアブルートゥースハンズフリー装置としている。
請求項１０の発明は、請求項１記載の車載ユニバーサルマルチメディアブルートゥースハンズフリー装置において、前記マルチメディア保存装置はフラッシュメモリの保存装置であることを特徴とする車載ユニバーサルマルチメディアブルートゥースハンズフリー装置としている。
請求項１１の発明は、請求項１記載の車載ユニバーサルマルチメディアブルートゥースハンズフリー装置において、前記マルチメディア保存装置はメモリを備えるマルチメディアプレーヤーであることを特徴とする車載ユニバーサルマルチメディアブルートゥースハンズフリー装置としている。
【発明の効果】
【０００９】
本発明により使用者は、ブルートゥース機能を備える各式マルチメディア保存装置或いは携帯電話端末などの信号をブルートゥース無線接続することができ、自動車オーディオはブルートゥース無線ハンズフリー受話器の機能を備える他、該マルチメディア保存装置はさらに自動車オーディオを通して再生することができる。
【発明を実施するための最良の形態】
【００１０】
本発明の第一実施例を示す図１に示すように、本発明の車載ユニバーサルマルチメディアブルートゥースハンズフリー装置１はブルートゥース無線伝送ユニット１１、有線信号インプットユニット１２、立体音源切り替えユニット１３、ハンズフリー受話器ユニット１４、制御ユニット１５、立体音声アウトプットユニット１６により組成し、自動車オーディオ３を接続する。
該自動車オーディオ３は操作ユニット３０、自動車オーディオ音源切り替えユニット３１、音声信号処理ユニット３２、パワーアンプユニット３３、CD/DVDユニット３４、カセットテープスロット３５、ラジオ放送ユニット３６、少なくとも１個のインプットポート３７、少なくとも１個のスピーカー３８を含む。
該ブルートゥース無線伝送ユニット１１の一端は無線の方式によりブルートゥース携帯電話端末２と双方向接続し、その音声出力は直接或いは間接的にそれぞれ該ハンズフリー受話器ユニット１４に接続し、該立体音源切り替えユニット１３の入力により、該ブルートゥース携帯電話端末２にハンズフリー通話或いは音楽再生時の無線伝送を提供する。
【００１１】
該有線信号インプットユニット１２は、少なくとも１個以上のマルチメディア保存装置４に少なくとも１個のマルチメディア信号線１２１の接続によりインプットし、該有線信号インプットユニット１２の出力を経て、該立体音源切り替えユニット１３のインプットに接続する。
該立体音源切り替えユニット１３の入力は該ブルートゥース無線伝送ユニット１１及び該有線信号インプットユニット１２よりそれぞれ受け取り、その出力は該立体音声アウトプットユニット１６の入力に接続し、音声出力時の音源選択を制御する。
該ハンズフリー受話器ユニット１４は該ブルートゥース携帯電話端末２からの電話を執行し、マイク１７を通して少なくとも１個のスピーカー３８と拡大音声通話を行う。
該制御ユニット１５は少なくとも該立体音源切り替えユニット１３の音源入力選択を制御する。
該立体音声アウトプットユニット１６は直接或いは間接的に自動車オーディオ３中の入力ポート（AUX1、AV1など）に接続し、該自動車オーディオ３にCD/DVD、AM/FMの他の別の音源選択を提供する。
【００１２】
上記ユニットの組成により、該ブルートゥース携帯電話端末２に着信があると、本発明の車載ユニバーサルマルチメディアブルートゥースハンズフリー装置１は該ブルートゥース無線伝送ユニット１１を通して、無線単音双方向のモードによりこれと相互に連接し、該制御ユニット１５は該立体音源切り替えユニット１３の入力ルートを該ブルートゥース無線ユニット１１へと切り替える。この時、該ハンズフリー受話器ユニット１４はそれが連結するマイク１７を通して、使用者の音声を受け取り、通話の相手に伝達する。相手の音声は該ブルートゥース伝送ユニット１１、立体音源切り替えユニット１３、ハンズフリー受話器ユニット１４を経由し拡大され、該自動車オーディオ３のスピーカー３８を通して発せられる。こうして、ハンズフリー携帯電話端末は通話の機能を達成することができる。
【００１３】
本発明は携帯電話端末ハンズフリーの基本機能を提供可能な他、ブルートゥース携帯電話端末音楽を再生することもできる。該ブルートゥース携帯電話端末２が音楽を再生しようとする時には、本発明のブルートゥース無線伝送ユニット１１を経由し、単方向立体音声のモードによりこれと相互に連接し、該制御ユニット１５は該立体音源切り替えユニット１３の入力ルートを該ブルートゥース無線伝送ユニット１１に切り替え、こうして該ブルートゥース携帯電話端末２の音楽は該ブルートゥース無線伝送ユニット１１、該立体音源切り替えユニット１３、該立体音声アウトプットユニット１６を通して、該自動車オーディオ３に伝送され、該インプットポート３７により該自動車オーディオ３の音源切り替えユニット３１に接続される。使用者は該自動車オーディオ３の音源切り替えユニット３１を該インプットポート３７のルートに切り替える（選択する）だけで、該自動車オーディオ３により該ブルートゥース携帯電話端末２が再生する音楽を楽しむことができる。
【００１４】
本発明の第二実施例を示す図２に示すように、本発明の車載ユニバーサルマルチメディアブルートゥースハンズフリー装置１’はさらに自動車オーディオ通信回路１８’を含む。これにより使用者は反対に自動車オーディオパネルの操作を通して、該自動車オーディオ３の操作ユニット３０により該自動車オーディオ通信回路１８’、 ブルートゥース無線伝送ユニット１１’を経て、無線の方式で操作信号を該ブルートゥース携帯電話端末２に伝送し、該ブルートゥース携帯電話端末２音楽の、選択、再生、一時停止などの再生作動を間接的に操作することができる。
【００１５】
本発明の第三実施例を示す図３に示すように、本発明の車載ユニバーサルマルチメディアブルートゥースハンズフリー装置１”はさらに、使用者が該ブルートゥース携帯電話端末２を使用せずに音楽を再生する時には、該マルチメディア保存装置４（フラッシュメモリ保存装置、及び各種メモリを備えるマルチメディア再生機）を、マルチメディア信号線１２１”を通して有線信号インプットユニット１２”に接続する。音楽を再生する時には、音楽信号は該マルチメディア信号線１２１”を通して該有線信号インプットユニット１２”に伝送される。該制御ユニット１５”は該立体音源切り替えユニット１３”を制御し、該入力ルートを該有線信号インプットユニット１２”に切り替え、音声信号は該立体音声アウトプットユニット１６”により、該自動車オーディオ３のインプットポート３７にアウトプットされる。こうして該自動車オーディオ３の音源の一つとし、使用者は該自動車オーディオ３の音源切り替えユニット３１を該インプットポート３７のルートに切り替えるだけで、該マルチメディア保存装置４の音楽を楽しむことができる。
【００１６】
また該ブルートゥース携帯電話端末２と同様に、使用者は該マルチメディア保存装置４上において直接操作制御する他に、本発明の車載ユニバーサルマルチメディアブルートゥースハンズフリー装置１”はさらにマルチメディア通信回路１９”を含む。これにより使用者は反対に該自動車オーディオ３の操作ユニット３０を通して、該制御信号は該自動車オーディオ通信回路１８’を経由し、該マルチメディア通信回路１９”に至り、該マルチメディア信号線１２１”を経由し、さらに該マルチメディア保存装置４に至り、こうして該マルチメディア保存装置４音楽の、選択、再生、一時停止などの機能を間接的に操作することができる。
【００１７】
本発明の第四実施例を示す図４に示すように、本発明の車載ユニバーサルマルチメディアブルートゥースハンズフリー装置５は自動車オーディオを利用しCD交換機の機能を接続することができる。それは操作インターフェースパネル及びCD交換機信号ポート３９の設計を残してあるため、本発明は該マルチメディア保存装置４の音楽と順序模擬制御をCD交換機とするだけで、使用者はCD交換機操作の方式により、該マルチメディア保存装置４を操作する。
このため、本発明の立体音声アウトプットユニット５６はさらにCD交換機模擬回路５６１を含み、自動車オーディオ３のCD交換機信号ポート３９を接続し、これにより該マルチメディア保存装置４の音楽は該CD交換機信号ポート３９により該自動車オーディオ３に入力され再生される。
【００１８】
本発明の第五実施例を示す図５に示すように、第五実施例各種異なるマルチメディア保存装置は異なるプロトコル（protocol）を備える。例えば、USB保存装置はUSB標準のプロトコルを備えるが、SDカードはSDカードのプロトコルを備え、またiPOD或いはZuneはそれぞれのプロトコルを備える。よって、本発明の車載ユニバーサルマルチメディアブルートゥースハンズフリー装置６のマルチメディア通信回路６９はプロトコル回路６９１を含む。こうして、多種のマルチメディア保存装置４のプロトコルは有線信号インプットユニット６２と各式マルチメディア保存装置４により便利に接続される。
【００１９】
本発明の第六実施例を示す図６に示すように、第六実施例は第一実施例を基礎とし、少なくとも１種以上のプロトコル回路１２３を該マルチメディア保存装置４のマルチメディア信号線１２２内に設置し、異なるマルチメディア保存装置４に適用する。こうして異なるマルチメディア信号線１２２により各種異なるプロトコルのマルチメディア保存装置４に接続することができる。
【００２０】
本発明の第七実施例を示す図７に示すように、第七実施例は第一実施例の車載ユニバーサルマルチメディアブルートゥースハンズフリー装置１を基礎とし、該マルチメディア保存装置４’はブルートゥース機能により本発明と接続する（或いは、図８に示す外付け式ブルートゥース転換器４１を通して、ブルートゥース接続の本発明の目的を達成する）。ブルートゥース機能を備える（或いは、外付け式ブルートゥース転換器４１を使用する）マルチメディア保存装置４’が音楽を再生しようとする時には、本発明はブルートゥース無線伝送ユニット１１を通して、単方向立体音声のモードによりこれと相互に連接し、該制御ユニット１５は該立体音源切り替えユニット１３のインプットルートを該ブルートゥース無線伝送ユニット１１に切り替える。これにより該マルチメディア保存装置４’の音楽は該ブルートゥース無線伝送ユニット１１、該立体音源切り替えユニット１３、該立体音声アウトプットユニット１６を通して、該自動車オーディオ３に伝送され、その内のインプットポート３７により該自動車オーディオ３の音源切り替えユニット３１に接続する。使用者は該自動車オーディオ３の音源切り替えユニット３１を該インプットポート３７に切り替えるだけで、該自動車オーディオ３により該マルチメディア保存装置４’が再生する音楽を楽しむことができる。
【００２１】
本発明の第九実施例を示す図９に示すように、一般のマルチメディア保存装置の多くは運転のために電源を必要とするため電池を内蔵するが、長時間使用することができないことに鑑み、第九実施例の車載ユニバーサルマルチメディアブルートゥースハンズフリー装置７はさらに電源供給ユニット７９２を含み、マルチメディア保存装置が必要とする電力を提供する。これにより該マルチメディア保存装置４はさらに充電を行うことができる。
【図面の簡単な説明】
【００２２】
【図１】本発明の第一実施例ブロックチャートである。
【図２】本発明の第二実施例ブロックチャートである。
【図３】本発明の第三実施例ブロックチャートである。
【図４】本発明の第四実施例ブロックチャートである。
【図５】本発明の第五実施例ブロックチャートである。
【図６】本発明の第六実施例ブロックチャートである。
【図７】本発明の第七実施例ブロックチャートである。
【図８】本発明の第八実施例ブロックチャートである。
【図９】本発明の第九実施例ブロックチャートである。
【符号の説明】
【００２３】
１  車載ユニバーサルマルチメディアブルートゥースハンズフリー装置
１’  車載ユニバーサルマルチメディアブルートゥースハンズフリー装置
１”  車載ユニバーサルマルチメディアブルートゥースハンズフリー装置
１１  ブルートゥース無線伝送ユニット
１２  有線信号インプットユニット
１２”  有線信号インプットユニット
１２１”  マルチメディア信号線
１２２  マルチメディア信号線
１２３  プロトコル回路
１３  立体音源切り替えユニット
１４  ハンズフリー受話器ユニット
１５  制御ユニット
１５”  制御ユニット
１６  立体音声アウトプットユニット
１６”  立体音声アウトプットユニット
１７  マイク
１８’  自動車オーディオ通信回路
１９”  マルチメディア通信回路
２  ブルートゥース携帯電話端末
３  自動車オーディオ
３０  操作ユニット
３１  自動車オーディオ音源切り替えユニット
３２  音声信号処理ユニット
３３  パワーアンプユニット
３４  CD/DVDユニット
３５  カセットテープスロット
３６  ラジオ放送ユニット
３７  インプットポート
３８  スピーカー
３９  CD交換機信号ポート
４  マルチメディア保存装置
４１  外付け式ブルートゥース転換器
５  車載ユニバーサルマルチメディアブルートゥースハンズフリー装置
５６  立体音声アウトプットユニット
５６１  CD交換機模擬回路
６  車載ユニバーサルマルチメディアブルートゥースハンズフリー装置
６２  有線信号インプットユニット
６９  マルチメディア通信回路
６９１  プロトコル回路
７  車載ユニバーサルマルチメディアブルートゥースハンズフリー装置
７９２  電源供給ユニット
【図１】
2009017119.tif 000003
【図２】
2009017119.tif 000004
【図３】
2009017119.tif 000005
【図４】
2009017119.tif 000006
【図５】
2009017119.tif 000007
【図６】
2009017119.tif 000008
【図７】
2009017119.tif 000009
【図８】
2009017119.tif 000010
【図９】
2009017119.tif 000011